(57)【要約】【課題】本発明は、エネルギー回収効率を向上させることのできるプラズマ表示装置及びその駆動装置を提供する。【解決手段】本発明のプラズマ表示装置は、維持期間中に走査電極に維持パルスを印加する走査駆動ボード２００と、走査電極と逆位相の維持パルスを維持電極に印加する維持駆動ボード４００とを含んでいる。走査駆動ボード２００と維持駆動ボード４００との間はハーネス（ｈａｒｎｅｓｓ）２４によって接続され、ハーネス２４は複数の配線から形成されて、両端にグラウンド配線が配置され、グラウンド配線の間にメイン経路配線が配置されていることを特徴とする。【選択図】図６
2010140004.tif 000002
【特許請求の範囲】
【請求項１】
第１電極及び第２電極と、
維持期間中に前記第１電極に第１電圧と前記第１電圧より低い第２電圧とを交互に有する第１維持パルスを印加する第１駆動部と、
前記維持期間中に前記第２電極に第３電圧と前記第３電圧より低い第４電圧とを交互に有する第２維持パルスを、前記第１維持パルスと逆位相で印加する第２駆動部と、
前記第１駆動部と前記第２駆動部とを接続するハーネスとを含み、
前記ハーネスは複数の配線から形成され、
前記ハーネスの配線のうち一方の端に配置された少なくとも一つの第１グラウンド配線と、
前記ハーネスの配線のうち他方の端に配置された少なくとも一つの第２グラウンド配線と、
前記第１グラウンド配線と前記第２グラウンド配線との間に配置された複数のメイン経路配線と
を含んでいることを特徴とするプラズマ表示装置。
【請求項２】
前記ハーネスは、前記グラウンド配線の数と前記メイン経路配線の数が同じであることを特徴とする請求項１に記載のプラズマ表示装置。
【請求項３】
前記第１駆動部は、
前記第１電圧と前記第２電圧との間の電圧を供給するキャパシタと、
第１端が前記第１電極に接続されており、第２端が前記キャパシタに接続されているインダクタと、
前記第１電極と前記インダクタの第１端との間に接続されている第１トランジスタとを含み、
前記第２駆動部は、
第１端が前記第２電極に接続されている第２トランジスタを含み、
前記インダクタの第２端と前記第２トランジスタの第２端が前記ハーネスに接続されていることを特徴とする請求項１または請求項２に記載のプラズマ表示装置。
【請求項４】
前記第１駆動部は、
前記インダクタの第２端と前記キャパシタとの間に接続されている第３トランジスタをさらに含んでいることを特徴とする請求項３に記載のプラズマ表示装置。
【請求項５】
第１乃至第３トランジスタは各々ボディーダイオードを含んでいることを特徴とする請求項４に記載のプラズマ表示装置。
【請求項６】
前記第１駆動部は、
第１端が前記第１電極に接続されているインダクタと、
前記インダクタの第２端とノードとの間に接続されている第１トランジスタと、
前記インダクタの第２端と前記ノードとの間に接続されている第２トランジスタとを含み、
前記ノードは前記ハーネスに接続されていることを特徴とする請求項１または請求項２に記載のプラズマ表示装置。
【請求項７】
前記第１駆動部は、
前記インダクタの第２端と前記第１トランジスタとの間、または前記第１トランジスタと前記ノードとの間に接続されており、前記インダクタの第２端から前記インダクタの第１端に電流が流れるようにする第１ダイオードと、
前記インダクタの第２端と前記第２トランジスタとの間、または前記第２トランジスタと前記ノードとの間に接続されており、前記インダクタの第１端から前記インダクタの第２端に電流が流れるようにする第２ダイオードと
をさらに含んでいることを特徴とする請求項６に記載のプラズマ表示装置。
【請求項８】
前記第１駆動部は、
前記第１電圧を供給する第１電源と前記第１電極との間に接続されている第４トランジスタと、
前記第２電圧を供給する第２電源と前記第１電極との間に接続されている第５トランジスタとをさらに含み、
前記第２駆動部は、
前記第３電圧を供給する第３電源と前記第２電極との間に接続されている第６トランジスタと、
前記第４電圧を供給する第４電源と前記第２電極との間に接続されている第７トランジスタとをさらに含み、
前記第５及び第７トランジスタは各々ボディーダイオードを含んでいることを特徴とする請求項３乃至請求項７のいずれか一項に記載のプラズマ表示装置。
【請求項９】
前記第２電源及び前記第４電源は、前記ハーネスの第１及び第２グラウンド配線のうち少なくとも一つに接続されていることを特徴とする請求項８に記載のプラズマ表示装置。
【請求項１０】
第１電極と第２電極とを含むプラズマ表示装置の駆動装置において、
前記第１電極を駆動する第１駆動ボードと、
前記第２電極を駆動する第２駆動ボードと、
前記第１駆動ボードと前記第２駆動ボードとを接続するハーネスとを含み、
前記ハーネスは複数の配線から形成され、
前記ハーネスの配線のうち一方の端に配置された少なくとも一つの第１グラウンド配線と、
前記ハーネスの配線のうち他方の端に配置された少なくとも一つの第２グラウンド配線と、
前記第１グラウンド配線と前記第２グラウンド配線との間に配置された複数のメイン経路配線と
を含んでいることを特徴とするプラズマ表示装置の駆動装置。
【請求項１１】
前記ハーネスは、前記グラウンド配線の数と前記メイン経路配線の数が同じであることを特徴とする請求項１０に記載のプラズマ表示装置の駆動装置。
【請求項１２】
前記第１駆動ボードは、
前記第１電極とノードとの間に直列に接続されているインダクタと、第１トランジスタとを含み、
前記第２駆動ボードは、
前記第２電極に第１端が接続されている第２トランジスタを含み、
前記ノードと前記第２トランジスタの第２端は前記ハーネスに接続されていることを特徴とする請求項１０または請求項１１に記載のプラズマ表示装置の駆動装置。
【請求項１３】
前記第１及び第２トランジスタはボディーダイオードを含んでいることを特徴とする請求項１２に記載のプラズマ表示装置の駆動装置。
【請求項１４】
前記第１駆動ボードは、
第１電圧を供給するキャパシタと、
前記キャパシタと前記ノードとの間に接続されている第３トランジスタと
をさらに含んでいることを特徴とする請求項１２または請求項１３に記載のプラズマ表示装置の駆動装置。
【請求項１５】
前記第１駆動ボードは、
第１端が前記第１電極に接続されているインダクタと、
前記インダクタの第２端とノードとの間に直列に接続されている第１ダイオード及び第１トランジスタと、
前記インダクタの第２端と前記ノードとの間に直列に接続されている第２ダイオード及び第２トランジスタとを含み、
前記ノードと前記第２電極は前記ハーネスに接続されていることを特徴とする請求項１０または請求項１１に記載のプラズマ表示装置の駆動装置。
【請求項１６】
前記第１駆動ボードは、
第１電圧を供給する第１電源と前記第１電極との間に接続されている第４トランジスタと、
前記第１電圧より低い第２電圧を供給する第２電源と前記第１電極との間に接続されている第５トランジスタとをさらに含み、
前記第２駆動ボードは、
前記第１電源と前記第２電極との間に接続されている第６トランジスタと、
前記第２電源と前記第２電極との間に接続されている第７トランジスタとをさらに含み、
前記第５及び第７トランジスタはボディーダイオードを含んでいることを特徴とする請求項１２乃至請求項１５のいずれか一項に記載のプラズマ表示装置の駆動装置。
【請求項１７】
前記第２電源は前記第１及び第２グラウンド配線のうちの少なくとも一つに接続されていることを特徴とする請求項１６に記載のプラズマ表示装置の駆動装置。
【請求項１８】
維持期間中に、前記第１電極に前記第１電圧が印加されている間に前記第２電極に前記第２電圧が印加され、前記第１電極に前記第２電圧が印加されている間に前記第２電極に前記第１電圧が印加されていることを特徴とする請求項１６または請求項１７に記載のプラズマ表示装置の駆動装置。
【発明の詳細な説明】
【技術分野】
【０００１】
本発明はプラズマ表示装置及びその駆動装置に関するものであり、特に１つのエネルギー回収回路だけで維持パルスを印加できるようにした駆動回路に関するものである。
【背景技術】
【０００２】
プラズマ表示装置は気体放電によって生成されたプラズマを用いて、文字または映像を表示するプラズマ表示パネルを利用した表示装置である。このようなプラズマ表示パネルには複数のセルがマトリックス状に配列されている。
【０００３】
一般にプラズマ表示装置は１フレームを複数のサブフィールドに分けて駆動し、複数のサブフィールドの中で、表示動作が起こるサブフィールドの加重値の組み合わせによって階調が表示される。各サブフィールドのアドレス期間中には発光セルと非発光セルが選択され、維持期間中には実際に映像を表示する発光セルに対して維持放電が行われる。
【０００４】
特に、維持期間において映像を表示するためには、維持放電を遂行するための走査電極と維持電極とに対して、ハイレベル電圧とローレベル電圧を有する維持パルスを交互に印加する。この時、維持放電が生じる二つの電極は容量性成分として作用するため、二つの電極にハイレベル電圧またはローレベル電圧を印加するためには無効電力が必要となる。従って、走査電極を駆動するための走査駆動ボードと維持電極を駆動するための維持駆動ボードは、無効電力を回収して再使用するためのエネルギー回収回路を含んでいる。このように、二つの駆動ボードに同じ構造のエネルギー回収回路が各々存在していることによって、プラズマ表示装置の単価が高くなってしまう。従って、一つのエネルギー回収回路を用いて、走査電極と維持電極のそれぞれに維持パルスを印加できるような方法が提案された。しかし、一つのエネルギー回収回路を用いる場合に、エネルギー回収回路を走査電極と維持電極に各々接続する方法と、これによる寄生成分によってエネルギー回収効率が変わってしまう。
【発明の概要】
【発明が解決しようとする課題】
【０００５】
本発明が解決しようとする技術的課題は、エネルギー回収効率を向上させることのできるプラズマ表示装置及びその駆動装置を提供することにある。
【課題を解決するための手段】
【０００６】
本発明の第１実施形態に係るプラズマ表示装置は、第１電極と、第２電極と、第１駆動部と、第２駆動部と、ハーネスとを含んでいる。第１及び第２電極は各々一方向に伸びて形成されていて、第１駆動部は維持期間中に前記第１電極に第１電圧と前記第１電圧より低い第２電圧とを交互に有する第１維持パルスを印加する。第２駆動部は前記維持期間中に前記第２電極に第３電圧と前記第３電圧より低い第４電圧とを交互に有する第２維持パルスを、前記第１維持パルスと逆位相で印加する。ハーネスは前記第１駆動部と前記第２駆動部とを接続する。
【０００７】
このようなハーネスは複数の配線から形成され、前記ハーネスの配線のうち一方の端に配置された少なくとも一つの第１グラウンド配線と、前記ハーネスの配線のうち他方の端に配置された少なくとも一つの第２グラウンド配線と、前記第１グラウンド配線と前記第２グラウンド配線との間に配置された複数のメイン経路配線とを含んでいる。
【０００８】
本発明の第２実施形態によれば、一方向に伸びて形成されている第１電極と第２電極とを含むプラズマ表示装置の駆動装置が提供される。この駆動装置は、第１駆動ボードと、第２駆動ボードと、ハーネスとを含んでいる。第１駆動ボードは前記第１電極を駆動し、第２駆動ボードは前記第２電極を駆動し、ハーネスは前記第１駆動ボードと前記第２駆動ボードとを接続する。
【０００９】
このようなハーネスは複数の配線から形成され、前記ハーネスの配線のうち一方の端に配置された少なくとも一つの第１グラウンド配線と、前記ハーネスの配線のうち他方の端に配置された少なくとも一つの第２グラウンド配線と、前記第１グラウンド配線と前記第２グラウンド配線との間に配置された複数のメイン経路配線とを含んでいる。
【発明の効果】
【００１０】
本発明によれば、一つのエネルギー回収回路だけで維持パルスを印加できるようにしたことによって、プラズマ表示装置の単価を減らすことができる。また、走査駆動ボードと維持駆動ボードをハーネス（ｈａｒｎｅｓｓ）で接続し、磁界による外部インダクタンスが０となるようにハーネス（ｈａｒｎｅｓｓ）の配線を構成することによって、エネルギー回収効率を上げることができる。
【図面の簡単な説明】
【００１１】
【図１】本発明の第１実施形態に係るプラズマ表示装置の分解斜視図である。
【図２】本発明の第１実施形態に係るプラズマ表示パネルの電極の構成を示した平面図である。
【図３】本発明の第１実施形態に係るシャーシーベースの構成を示した平面図である。
【図４】本発明の第１実施形態に係るプラズマ表示装置の駆動波形を示した図である。
【図５】本発明の第２実施形態に係るプラズマ表示装置の駆動波形を示した図である。
【図６】本発明の第１実施形態に係る駆動回路の構成を示した回路図である。
【図７】図４に示した維持パルスを生成するために、図６の駆動回路に供給される信号の信号タイミング図である。
【図８Ａ】図７に示した各信号タイミングにおける電流経路を示した回路図である。
【図８Ｂ】図７に示した各信号タイミングにおける電流経路を示した回路図である。
【図９】本発明の第１実施形態に係るハーネスの構造を示した平面図である。
【図１０Ａ】ハーネスの配線に流れる電流の方向を示した図である。
【図１０Ｂ】ハーネスの配線に流れる電流の方向を示した図である。
【図１１】本発明の第２実施形態に係る駆動回路の構成を示した回路図である。
【図１２】図４に示した維持パルスを生成するために、図１１の駆動回路に供給される信号の信号タイミング図である。
【図１３Ａ】図１２に示した各信号タイミングにおける電流経路を示した回路図である。
【図１３Ｂ】図１２に示した各信号タイミングにおける電流経路を示した回路図である。
【図１４】図５に示した維持パルスを生成するために、図１１の駆動回路に供給される信号の信号タイミング図である。
【図１５Ａ】図１４に示した各信号タイミングにおける電流経路を示した回路図である。
【図１５Ｂ】図１４に示した各信号タイミングにおける電流経路を示した回路図である。
【発明を実施するための形態】
【００１２】
以下、添付した図面を参照して、本発明の実施形態について本発明が属する技術分野の通常の知識を有する者が容易に実施できるように詳しく説明する。しかし、本発明は多様な形態で実現できるので、ここで説明する実施形態に限定されるわけではない。
【００１３】
図面において、本発明を明確に説明するために説明上不要な部分は省略した。明細書全体にわたって類似の部分については同一の図面符号を付けた。ある部分が他の部分と接続されているという時には、直接接続されている場合だけでなく、その間に他の素子をおいて接続されている場合も含むものとする。
【００１４】
以下、図面を参照して、本発明の実施形態に係るプラズマ表示装置及びその駆動装置について詳細に説明する。
【００１５】
図１は、本発明の実施形態に係るプラズマ表示装置の分解斜視図であり、図２は本発明の実施形態に係るプラズマ表示パネルの電極の構成を示した平面図であり、図３は本発明の実施形態に係るシャーシーベースの構成を示した平面図である。
【００１６】
図１を参照すると、本発明の実施形態に係るプラズマ表示装置は、プラズマ表示パネル１０と、シャーシーベース２０と、前面ケース３０と、後面ケース４０とを含んでいる。シャーシーベース２０は、プラズマ表示パネル１０において映像が表示される面の反対側に配置されて、プラズマ表示パネル１０と結合される。前面ケース３０及び後面ケース４０は、プラズマ表示パネル１０の前面及びシャーシーベース２０の後面に各々配置されて、プラズマ表示パネル１０及びシャーシーベース２０と結合されてプラズマ表示装置を形成する。
【００１７】
図２を参照すると、プラズマ表示パネル１０は、列方向に伸びている複数のアドレス電極（以下、「Ａ電極」という）（Ａ１−Ａｍ）と、行方向に互いに対を成しながら伸びている複数の維持電極（以下、「Ｘ電極」という）（Ｘ１−Ｘｎ）及び走査電極（以下、「Ｙ電極」という）（Ｙ１−Ｙｎ）とを含んでいる。一般に、Ｘ電極（Ｘ１−Ｘｎ）は各Ｙ電極（Ｙ１−Ｙｎ）に対応して形成されており、Ｘ電極（Ｘ１−Ｘｎ）とＹ電極（Ｙ１−Ｙｎ）が維持期間において画像を表示するための表示動作を行う。Ｙ電極（Ｙ１−Ｙｎ）とＸ電極（Ｘ１−Ｘｎ）は、Ａ電極（Ａ１−Ａｍ）と直交するように配置されている。このとき、Ａ電極（Ａ１−Ａｍ）とＸ電極及びＹ電極（Ｘ１−Ｘｎ、Ｙ１−Ｙｎ）との交差部にある放電空間が放電セル（以下、「セル」という）１２を形成する。このようなプラズマ表示パネル１０の構造は一例であり、以下で説明する駆動波形を適用できる他の構造のパネルも本発明に適用することは可能である。
【００１８】
次に、図３を参照すると、シャーシーベース２０には、プラズマ表示パネル１０の駆動に必要なボード（１００〜６００）が形成されている。
【００１９】
アドレスバッファーボード１００は、シャーシーベース２０の上部及び下部のうちいずれか一ヶ所に形成されている。図３ではシングル駆動をするプラズマ表示装置を一例として説明しているが、デュアル駆動の場合にはアドレスバッファーボード１００がシャーシーベース２０の上部及び下部に各々配置される。このようなアドレスバッファーボード１００は制御ボード５００からＡ電極駆動制御信号を受信し、受信したＡ電極駆動制御信号によって発光セルと非発光セルを選択するための駆動電圧をＡ電極（Ａ１−Ａｍ）に印加する。
【００２０】
走査駆動ボード２００はシャーシーベース２０の左側に配置されて、導電性パターンまたはケーブルなどの連結部材２６を介して走査バッファーボード３００に接続され、走査バッファーボード３００は可撓性印刷回路（ｆｌｅｘｉｂｌｅ  ｐｒｉｎｔｅｄ  ｃｉｒｃｕｉｔ、ＦＰＣ）２２を介してＹ電極（Ｙ１−Ｙｎ）に接続されている。このような走査駆動ボード２００は制御ボード５００からＹ電極駆動制御信号を受信し、受信したＹ電極駆動制御信号によってＹ電極（Ｙ１−Ｙｎ）に駆動電圧を印加する。一方、図３では走査駆動ボード２００と走査バッファーボード３００がシャーシーベース２０の左側に配置されているが、シャーシーベース２０の右側に配置することも可能である。また、走査バッファーボード３００は走査駆動ボード２００と一体型で形成されても良い。
【００２１】
維持駆動ボード４００はシャーシーベース２０の右側に配置されており、ハーネス（ｈａｒｎｅｓｓ）２４を通じて走査駆動ボード２００に接続されており、可撓性印刷回路（ｆｌｅｘｉｂｌｅ  ｐｒｉｎｔｅｄ  ｃｉｒｃｕｉｔ、ＦＰＣ）２２を介してＸ電極（Ｘ１−Ｘｎ）に接続されている。このような維持駆動ボード４００は制御ボード５００からＸ電極駆動制御信号を受信し、受信したＸ電極駆動制御信号によってＸ電極（Ｘ１−Ｘｎ）に駆動電圧を印加する。
【００２２】
制御ボード５００は外部から１フレーム期間中の映像信号を受信し、それによってＡ電極駆動制御信号、Ｙ電極駆動制御信号及びＸ電極駆動制御信号を生成して、これらをそれぞれアドレスバッファーボード１００、走査駆動ボード２００及び維持駆動ボード４００に出力する。また、制御ボード５００は、１フレームを、それぞれの加重値を有する複数のサブフィールドに分割して駆動し、各サブフィールドはアドレス期間及び維持期間を含んでいる。
【００２３】
制御ボード５００と電源ボード６００はシャーシーベース２０の中央に配置される。電源ボード６００はプラズマ表示装置の駆動に必要な電源を各ボード（１００〜５００）に供給する。
【００２４】
ここで、アドレスバッファーボード１００、走査駆動ボード２００及び維持駆動ボード４００は、それぞれＡ電極、Ｙ電極及びＸ電極を駆動する駆動部を形成し、制御ボード５００はこれらの駆動部を制御するための制御部を形成し、電源ボード６００はこれらの駆動部と制御部に電源を供給するための電源部を形成する。
【００２５】
図４及び図５は、それぞれ本発明の第１及び第２実施形態に係るプラズマ表示装置の駆動波形を示したタイミング図である。図４及び図５では説明の便宜上維持期間の駆動波形のみを示している。
【００２６】
まず、図４を参照すると、維持期間中に走査駆動ボード２００は、Ｙ電極（Ｙ１−Ｙｎ）にハイレベル電圧（Ｖｓ）とローレベル電圧（０Ｖ）を交互に有する維持パルスを当該サブフィールドの加重値に相当する回数だけ印加する。そして、維持駆動ボード４００は、Ｘ電極（Ｘ１−Ｘｎ）に対して、Ｙ電極（Ｙ１−Ｙｎ）に印加される維持パルスと逆位相の維持パルスを印加する。つまり、Ｙ電極にＶｓ電圧を印加する時にはＸ電極に０Ｖ電圧を印加し、Ｙ電極に０Ｖ電圧を印加する時にはＸ電極にＶｓ電圧を印加する。
【００２７】
このようにすると、各Ｘ電極（Ｘ１−Ｘｎ）と各Ｙ電極（Ｙ１−Ｙｎ）との間の電圧差が、交互にＶｓ電圧と−Ｖｓ電圧となる、そのため発光セルにおける維持放電が当該サブフィールドの加重値に相当する回数だけ繰り返して起こる。
【００２８】
一方、図５に示すように、維持期間においてＹ電極の電圧を０Ｖ電圧からＶｓ電圧に変更している間にＸ電極の電圧もＶｓ電圧から０Ｖ電圧に変更し、Ｙ電極の電圧をＶｓ電圧から０Ｖ電圧に変更している間にＸ電極の電圧も０Ｖ電圧からＶｓ電圧に変更するようにしてもよい。このようにしても、各Ｘ電極（Ｘ１−Ｘｎ）と各Ｙ電極（Ｙ１−Ｙｎ）との間の電圧差は、交互にＶｓ電圧と−Ｖｓ電圧となるので、発光セルにおける維持放電が当該サブフィールドの加重値に相当する回数だけ繰り返して生じることになる。
【００２９】
次に、Ｘ電極（Ｘ１−Ｘｎ）とＹ電極（Ｙ１−Ｙｎ）に印加される維持パルスを供給する駆動回路について説明する。
【００３０】
図６は、本発明の第１実施形態に係る駆動回路の構成を示した回路図である。図６では説明の便宜上、一つのＸ電極と一つのＹ電極のみを示し、Ｘ電極とＹ電極によって形成される容量性成分をパネルキャパシタ（Ｃｐ）として示した。また、図６ではトランジスタ（Ｙｓ、Ｙｇ、Ｙｒ、Ｙｆ、Ｘｓ、Ｘｇ、Ｘｒ）をｎチャンネル絶縁ゲート両極性トランジスタ（ｉｎｓｕｌａｔｅｄ  ｇａｔｅ  ｂｉｐｏｌａｒ  ｔｒａｎｓｉｓｔｏｒ、ＩＧＢＴ）として示し、これらのトランジスタ（Ｙｓ、Ｙｇ、Ｙｒ、Ｙｆ、Ｘｓ、Ｘｇ、Ｘｒ）にはエミッタからコレクタ方向にボディーダイオードが形成されている。そして、ＩＧＢＴの代わりに類似する機能を行う他のトランジスタを、これらのトランジスタ（Ｙｓ、Ｙｇ、Ｙｒ、Ｙｆ、Ｘｓ、Ｘｇ、Ｘｒ）として用いる場合もある。
【００３１】
図６を参照すれば、本発明の第１実施形態に係る走査駆動ボード２００は維持放電部２１０と、エネルギー回収部２２０とを含み、維持駆動ボード４００は維持放電部４１０と、エネルギー回収部４２０とを含んでいる。
【００３２】
維持放電部２１０はトランジスタ（Ｙｓ、Ｙｇ）を含み、維持放電部４１０はトランジスタ（Ｘｓ、Ｘｇ）を含んでいる。トランジスタ（Ｙｓ、Ｘｓ）のコレクタはハイレベル電圧（Ｖｓ）を供給する電源（Ｖｓ）に接続されており、トランジスタ（Ｙｓ、Ｘｓ）のエミッタは各々Ｙ電極及びＸ電極に接続されている。トランジスタ（Ｙｇ、Ｘｇ）のエミッタはローレベル電圧（０Ｖ）を供給する電源（つまり、接地端）に接続されており、トランジスタ（Ｙｇ、Ｘｇ）のコレクタは各々Ｙ電極及びＸ電極に接続されている。
【００３３】
エネルギー回収部２２０は、トランジスタ（Ｙｒ、Ｙｆ）と、インダクタ（Ｌｙ）と、キャパシタ（Ｃｅｒｃ）とを含み、エネルギー回収部４２０はトランジスタ（Ｘｒ）を含んでいる。トランジスタ（Ｙｒ）のエミッタはＹ電極に接続されており、トランジスタ（Ｙｒ）のコレクタはインダクタ（Ｌｙ）の第１端に接続されている。インダクタ（Ｌｙ）の第２端はトランジスタ（Ｙｆ）のコレクタに接続されており、トランジスタ（Ｙｆ）のエミッタと接地端との間にキャパシタ（Ｃｅｒｃ）が接続されている。この時、キャパシタ（Ｃｅｒｃ）はハイレベル電圧（Ｖｓ）とローレベル電圧（０Ｖ）との間の電圧を供給しながら、例えば、二種の電圧（Ｖｓ、０Ｖ）の中間電圧（Ｖｓ／２）を供給する。また、トランジスタ（Ｘｒ）のエミッタがＸ電極に接続されており、トランジスタ（Ｘｒ）のコレクタとトランジスタ（Ｙｆ）のコレクタはハーネス（ｈａｒｎｅｓｓ）２４に接続されている。この時、ハーネス２４自体にインダクタンスが存在するため、実質的には維持駆動ボード４００のエネルギー回収部４２０はトランジスタ（Ｘｒ）と、ハーネス２４と、トランジスタ（Ｙｆ）と、キャパシタ（Ｃｅｒｃ）とによって形成されていることになる。つまり、走査駆動ボード２００及び維持駆動ボード４００のエネルギー回収部２２０、４２０はトランジスタ（Ｙｆ）及びキャパシタ（Ｃｅｒｃ）を共通に使用する。
【００３４】
一方、図６とは異なり、維持駆動ボード４００にエネルギー回収部２２０と同じ構造を有するエネルギー回収部を設置し、走査駆動ボード２００にエネルギー回収部４２０と同じ構造を有するエネルギー回収部を設置してもよい。
【００３５】
図７は、図４に示した維持パルスを生成するために図６の駆動回路に供給される信号の信号タイミング図であり、図８Ａ及び図８Ｂは図７に示した各信号タイミングにおける電流経路を示した回路図である。
【００３６】
図７及び図８Ａを参照すれば、モード１（Ｍ１）ではトランジスタ（Ｘｇ、Ｙｇ）が導通される。そして、二つのトランジスタ（Ｘｇ、Ｙｇ）によってＸ電極及びＹ電極に０Ｖ電圧が印加される。
【００３７】
モード２（Ｍ２）では、トランジスタ（Ｙｒ）が導通され、トランジスタ（Ｙｇ）が遮断される。そして、接地端、キャパシタ（Ｃｅｒｃ）、トランジスタ（Ｙｆ）のボディーダイオード、インダクタ（Ｌｙ）、トランジスタ（Ｙｒ）、パネルキャパシタ（Ｃｐ）、トランジスタ（Ｘｇ）及び接地端という電流経路が形成される。この電流経路によって、インダクタ（Ｌｙ）とパネルキャパシタ（Ｃｐ）との間に共振が生じ、Ｙ電極の電圧が０Ｖ電圧から略Ｖｓ電圧に増加する。
【００３８】
モード３（Ｍ３）では、トランジスタ（Ｙｓ）が導通され、トランジスタ（Ｙｒ）が遮断される。そして、電源（Ｖｓ）、トランジスタ（Ｙｓ）、パネルキャパシタ（Ｃｐ）、トランジスタ（Ｘｇ）及び接地端という電流経路が形成され、Ｙ電極にＶｓ電圧が印加される。
【００３９】
モード４（Ｍ４）では、トランジスタ（Ｙｆ）が導通され、トランジスタ（Ｙｓ）が遮断される。そして、接地端、トランジスタ（Ｘｇ）のボディーダイオード、パネルキャパシタ（Ｃｐ）、トランジスタ（Ｙｒ）のボディーダイオード、インダクタ（Ｌｙ）、トランジスタ（Ｙｆ）、キャパシタ（Ｃｅｒｃ）及び接地端という電流経路が形成される。この電流経路によって、インダクタ（Ｌｙ）とパネルキャパシタ（Ｃｐ）との間に共振が生じ、Ｙ電極の電圧がＶｓ電圧から略０Ｖ電圧に減少する。
【００４０】
次に、図７及び図８Ｂを参照すれば、モード５（Ｍ５）では、トランジスタ（Ｙｇ）が導通され、トランジスタ（Ｙｆ）が遮断される。そして、二つのトランジスタ（Ｘｇ、Ｙｇ）によってＸ電極及びＹ電極に０Ｖ電圧が印加される。
【００４１】
モード６（Ｍ６）では、トランジスタ（Ｘｒ）が導通され、トランジスタ（Ｘｇ）が遮断される。そして、接地端、キャパシタ（Ｃｅｒｃ）、トランジスタ（Ｙｆ）のボディーダイオード、ハーネス２４、トランジスタ（Ｘｒ）、パネルキャパシタ（Ｃｐ）、トランジスタ（Ｙｇ）及び接地端という電流経路が形成される。この時、ハーネス２４自らのインダクタンス成分とパネルキャパシタ（Ｃｐ）によって共振が生じ、Ｘ電極の電圧が０Ｖ電圧から略Ｖｓ電圧に増加する。
【００４２】
モード７（Ｍ７）では、トランジスタ（Ｘｓ）が導通され、トランジスタ（Ｘｒ）が遮断される。そして、電源（Ｖｓ）、トランジスタ（Ｘｓ）、パネルキャパシタ（Ｃｐ）、トランジスタ（Ｙｇ）及び接地端という電流経路が形成され、Ｘ電極にＶｓ電圧が印加される。
【００４３】
モード８（Ｍ８）では、トランジスタ（Ｙｆ）が導通され、トランジスタ（Ｘｓ）が遮断される。そして、接地端、トランジスタ（Ｙｇ）のボディーダイオード、パネルキャパシタ（Ｃｐ）、トランジスタ（Ｘｒ）のボディーダイオード、ハーネス２４、トランジスタ（Ｙｆ）、キャパシタ（Ｃｅｒｃ）及び接地端という電流経路が形成される。この時、ハーネス２４自らのインダクタンス成分とパネルキャパシタ（Ｃｐ）によって共振が生じ、Ｘ電極の電圧がＶｓ電圧から略０Ｖ電圧まで減少する。
【００４４】
そして、走査駆動ボード２００及び維持駆動ボード４００は、維持期間中においてモード１乃至８（Ｍ１〜Ｍ８）の動作を繰り返しながら、当該サブフィールドの加重値に相当する回数だけ繰り返すことによって、Ｙ電極とＸ電極に対して０Ｖ電圧とＶｓ電圧を交互に有する維持パルスを印加することができる。
【００４５】
このように、本発明の第１実施形態では走査駆動ボード２００のエネルギー回収部２２０と維持駆動ボード４００のエネルギー回収部４２０をハーネス２４で接続することによって、駆動回路の回路素子の数を減らすことができ、これによってプラズマ表示装置の低価格化を実現することができる。この時、ハーネス２４の構造によってエネルギー回収効率が変動するため、以下ではエネルギー回収効率を向上させることのできるハーネス２４の構造について図９を参照して詳しく説明する。
【００４６】
図９は本発明の実施形態に係るハーネスの構造を示す平面図である。
【００４７】
図９を参照すれば、本発明の実施形態に係るハーネス２４は、グラウンド（ＧＮＤ）ラインとして使用される複数の配線（以下、「グラウンド配線」という）２４ａ、２４ｂと、電流を通過させる電流ラインとして使用される複数の配線（以下、「メイン経路配線」という）２４ｃ、２４ｄとを含んでいる。この場合、グラウンド配線２４ａ、２４ｂは、図６に示した回路で維持駆動ボード４００の接地端（つまり、トランジスタ（Ｘｇ）が連結された接地端）と、走査駆動ボード２００の接地端（つまり、トランジスタ（Ｙｇ）が連結された接地端及び／またはキャパシタ（Ｃｅｒｃ）が連結された接地端）とを互いに接続するために用いている。また、前述したように、維持駆動ボード４００のトランジスタ（Ｘｒ）と走査駆動ボード２００のトランジスタ（Ｙｆ）との間に電流経路が形成されるので、メイン経路配線２４ｃ、２４ｄは二つのトランジスタ（Ｘｒ、Ｙｆ）を互いに接続するために用いている。
【００４８】
この時、グラウンド配線２４ａ、２４ｂが両端、つまりハーネス２４の外側に配置され、両端に形成されたグラウンド配線２４ａ、２４ｂの間にメイン経路配線２４ｃ、２４ｄが配置されるようにする。そして、グラウンド配線２４ａ、２４ｂの数とメイン経路配線２４ｃ、２４ｄの数は同一とする。図９ではハーネス２４が２つのメイン経路配線と２つのグラウンド配線で構成する場合を例示したが、ハーネス２４はそれ以上の数のメイン経路配線とグラウンド配線で構成することも可能である。例えば、ハーネス２４が４つのメイン経路配線と４つのグラウンド配線で構成される場合、両端に２つのグラウンド配線の対をそれぞれ配置し、両端に配置されたグラウンド配線の対の間に４つのメイン経路配線を配置するようにすることも可能である。
【００４９】
一般に、配線に電流が流れると周辺に磁界が形成され、電流が流れる方向によって磁界が変動する。また、この磁界の影響でインダクタンス（ｉｎｄｕｃｔａｎｃｅ）が変動する。この時、内部インダクタンスは配線の数に関係せずに同一であるが、外部インダクタンスは配線の数によって変動する。
【００５０】
図１０Ａ及び図１０Ｂは、各々ハーネスの配線に電流方向を示した図である。図１０Ａ及び図１０Ｂでは２つの配線だけを示した。
【００５１】
配線の単位長さ当りの誘導容量（Ｌ）は内部誘導容量（Ｌｉ）と外部誘導容量（Ｌｅ）の合計として示すことができる。
【００５２】
図１０Ａのように、二つの配線のうちの一つの配線に電流（Ｉ）が流れ、残りの配線に電流（−Ｉ）が流れると、配線の内部誘導容量（Ｌｉ）は数１のように計算できる。
【数１】
2010140004.tif 000003
【００５３】
磁束密度（β１、β２）は数２及び数３のようにアンペア（ａｍｐｅｒｅ）の法則で求めることができる。磁束密度（β１）は電流（Ｉ）によるものであり、磁束密度（β２）は電流（−Ｉ）によるものである。
【数２】
2010140004.tif 000004
【００５４】
ここで、ｘは２つの配線のうち一つの配線の半径である。
【数３】
2010140004.tif 000005
【００５５】
ここで、ｄは二つの配線の距離であり、（ｄ−ｘ）は２つの配線のうち他の配線の半径である。
【００５６】
総磁束（λ）は数４のように計算され、総磁束（λ）が外部誘導容量（Ｌｅ）となる。
【数４】
2010140004.tif 000006
【００５７】
従って、誘導容量（Ｌ）は数５のように示すことができる。
【数５】
2010140004.tif 000007
【００５８】
次に、図１０Ｂのように、二つの配線に流れる電流の方向が同一であれば、アンペア（ａｍｐｅｒｅ）の法則によって、数６のように外部誘導容量（Ｌｅ）は０となる。従って、内部誘導容量（Ｌｉ）が総誘導容量（Ｌ）となる。
【数６】
2010140004.tif 000008
【００５９】
このような関係によって、図９に示すように、両端に２つのグラウンド配線２４ａ、２４ｂを配置してグラウンド配線２４ａ、２４ｂの間に２つのメイン経路配線２４ｃ、２４ｄを配置すると、グラウンド配線２４ａとメイン経路配線２４ｃの電流方向は反対であり距離はｄとなるので、グラウンド配線２４ａとメイン経路配線２４ｃとの間の外部誘導容量（Ｌｅ１）は
【数７】
2010140004.tif 000009
【００６０】
となり、グラウンド配線２４ａとメイン経路配線２４ｄの電流方向は反対であり距離は２ｄとなるので、グラウンド配線２４ａとメイン経路配線２４ｄとの間の外部誘導容量（Ｌｅ２）は
【数８】
2010140004.tif 000010
【００６１】
となる。グラウンド配線２４ａ、２４ｂの電流方向は同一であるため、グラウンド配線２４ａ、２４ｂ間の外部誘導容量（Ｌｅ３）は０であり、メイン経路配線２４ｃ、２４ｄの電流方向も同一であるため、メイン経路配線２４ｃ、２４ｄ間の外部誘導容量（Ｌｅ４）も０である。また、メイン経路配線２４ｃとグラウンド配線２４ｂの電流方向は反対であり距離は２ｄとなるので、メイン経路配線２４ｃとグラウンド配線２４ｂとの間の外部誘導容量（Ｌｅ５）は
【数９】
2010140004.tif 000011
【００６２】
となり、メイン経路配線２４ｄとグラウンド配線２４ｂの電流方向は反対であり距離はｄとなるので、メイン経路配線２４ｄとグラウンド配線２４ｂとの間の外部誘導容量（Ｌｅ６）は
【数１０】
2010140004.tif 000012
【００６３】
となる。従って、図９に示したハーネス２４の総外部誘導容量（Ｌｅ）は、これらＬｅ１〜Ｌｅ６の合計となり、ハーネス２４の総外部誘導容量（Ｌｅ）は０となる。つまり、ハーネス２４ではインダクタンス成分だけが存在する。このように、ハーネス２４の外部誘導容量が除去されるので、維持駆動ボード４００のエネルギー回収部４２０はハーネス２４のインダクタンス成分を利用して、共振を形成することができ、これによってエネルギー回収効率を向上させることができる。
【００６４】
図１１は本発明の第２実施形態に係る駆動回路の構成を示した回路図である。
【００６５】
図１１に示したように、本発明の第２実施形態に係る走査駆動ボード２００'は、エネルギー回収部２２０'を除いて第１実施形態に係る走査駆動ボード２００と同一の構成である。本発明の第２実施形態に係る維持駆動ボード４００'は、本発明の第１実施形態のように維持駆動ボード４００のエネルギー回収部４２０を備えていない。一方、図１１ではエネルギー回収部２２０'が走査駆動ボード２００'に含まれているように示したが、維持駆動ボード４００'に含まれているようにしてもよく、走査駆動ボード２００'にエネルギー回収部２２０'が存在しない場合もありうる。
【００６６】
エネルギー回収部２２０'は、トランジスタ（Ｙｒ、Ｙｆ）と、インダクタ（Ｌｙ）とを含んでいる。インダクタ（Ｌｙ）の第１端がＹ電極に接続されており、インダクタ（Ｌｙ）の第２端がトランジスタ（Ｙｒ）のエミッタ及びトランジスタ（Ｙｆ）のコレクタに接続されている。そして、ノード（Ｎ１）にトランジスタ（Ｙｒ）のコレクタとトランジスタ（Ｙｆ）のエミッタが接続されており、トランジスタ（Ｘｓ）のエミッタとトランジスタ（Ｘｇ）のコレクタとの接続点に相当するノード（Ｎ２）とノード（Ｎ１）との間にはハーネス２４が接続されている。
【００６７】
また、ダイオード（Ｄｒ）は、カソードがインダクタ（Ｌｙ）の第２端に接続されており、アノードがトランジスタ（Ｙｒ）のエミッタに接続されている。ダイオード（Ｄｆ）は、アノードがインダクタ（Ｌｙ）の第２端に接続されており、カソードがトランジスタ（Ｙｆ）のコレクタに接続されている。ダイオード（Ｄｒ）はＹ電極の電圧を増加させるための電流経路（以下、「上昇経路」という）を設定するものであり、ダイオード（Ｄｆ）はＹ電極の電圧を減少させるための電流経路（以下、「下降経路」という）を設定するものである。そして、ダイオード（Ｄｒ）とトランジスタ（Ｙｒ）の位置は互いに変更することができ、ダイオード（Ｄｆ）とトランジスタ（Ｙｆ）の位置も互いに変更することができる。
【００６８】
図１２は、図４に示した維持パルスを生成するために、図１１の駆動回路に供給される信号の信号タイミング図であり、図１３Ａ及び図１３Ｂは図１２に示した各信号タイミングにおける電流経路を示した回路図である。
【００６９】
図１２及び図１３Ａを参照すると、モード１（Ｍ１）では、トランジスタ（Ｘｇ、Ｙｇ）が導通される。そして、二つのトランジスタ（Ｘｇ、Ｙｇ）によってＸ電極及びＹ電極に０Ｖ電圧が印加される。
【００７０】
モード２（Ｍ２）では、トランジスタ（Ｙｒ）が導通され、トランジスタ（Ｙｇ）が遮断される。そして、接地端、トランジスタ（Ｘｇ）のボディーダイオード、ハーネス２４、トランジスタ（Ｙｒ）、ダイオード（Ｄｒ）、インダクタ（Ｌｙ）及びパネルキャパシタ（Ｃｐ）のＹ電極という電流経路が形成される。この電流経路によってパネルキャパシタ（Ｃｐ）とインダクタ（Ｌｙ）との間に共振が生じ、Ｙ電極の電圧が０Ｖ電圧から略Ｖｓ電圧に増加する。
【００７１】
モード３（Ｍ３）では、トランジスタ（Ｙｓ）が導通され、トランジスタ（Ｙｒ）が遮断される。そして、電源（Ｖｓ）、トランジスタ（Ｙｓ）、パネルキャパシタ（Ｃｐ）、トランジスタ（Ｘｇ）及び接地端という電流経路が形成され、Ｙ電極にＶｓ電圧が印加される。
【００７２】
モード４（Ｍ４）では、トランジスタ（Ｙｆ）が導通され、トランジスタ（Ｙｓ）が遮断される。そして、パネルキャパシタ（Ｃｐ）のＹ電極、インダクタ（Ｌｙ）、ダイオード（Ｄｆ）、トランジスタ（Ｙｆ）、ハーネス２４、トランジスタ（Ｘｇ）及び接地端という電流経路が形成される。この電流経路によって、パネルキャパシタ（Ｃｐ）とインダクタ（Ｌｙ）との間に共振が生じ、Ｙ電極の電圧がＶｓ電圧から略０Ｖ電圧に減少する。
【００７３】
次に、図１２及び図１３Ｂを参照すると、モード５（Ｍ５）ではトランジスタ（Ｙｇ）が導通され、トランジスタ（Ｙｆ）が遮断される。そして、二つのトランジスタ（Ｙｇ、Ｘｇ）によってＹ電極に０Ｖ電圧が印加される。
【００７４】
モード６（Ｍ６）では、トランジスタ（Ｙｒ）が導通され、トランジスタ（Ｘｇ）が遮断される。そして、パネルキャパシタ（Ｃｐ）のＸ電極、ハーネス２４、トランジスタ（Ｙｒ）、ダイオード（Ｄｒ）、インダクタ（Ｌｙ）、トランジスタ（Ｙｇ）及び接地端という電流経路が形成される。この電流経路によって、パネルキャパシタ（Ｃｐ）とインダクタ（Ｌｙ）との間に共振が生じ、Ｘ電極の電圧が０Ｖ電圧から略Ｖｓ電圧に増加する。
【００７５】
モード７（Ｍ７）では、トランジスタ（Ｘｓ）が導通され、トランジスタ（Ｙｒ）が遮断される。そして、電源（Ｖｓ）、トランジスタ（Ｘｓ）、パネルキャパシタ（Ｃｐ）、トランジスタ（Ｙｇ）及び接地端という電流経路が形成され、Ｘ電極にＶｓ電圧が印加される。
【００７６】
モード８（Ｍ８）では、トランジスタ（Ｙｆ）が導通され、トランジスタ（Ｘｓ）が遮断される。そして、接地端、トランジスタ（Ｙｇ）のボディーダイオード、インダクタ（Ｌｙ）、ダイオード（Ｄｆ）、トランジスタ（Ｙｆ）、ハーネス２４及びパネルキャパシタ（Ｃｐ）のＸ電極という電流経路が形成される。この電流経路によって、パネルキャパシタ（Ｃｐ）とインダクタ（Ｌｙ）との間に共振が生じ、Ｘ電極の電圧がＶｓ電圧から略０Ｖ電圧に減少する。
【００７７】
そして、走査駆動ボード２００及び維持駆動ボード４００は、維持期間中にモード１乃至８（Ｍ１〜Ｍ８）の動作を当該サブフィールドの加重値に対応する回数だけ繰り返すことによって、Ｙ電極及びＸ電極に維持パルスを交互に印加することができる。
【００７８】
図１４は、図５に示した維持パルスを生成するために、図１１の駆動回路に供給される信号の信号タイミング図であり、図１５Ａ及び図１５Ｂは図１４に示した各信号タイミングにおける電流経路を示した回路図である。
【００７９】
図１４及び図１５Ａを参照すると、モード１'（Ｍ１'）ではトランジスタ（Ｙｇ、Ｘｓ）が導通される。そして、電源（Ｖｓ）、トランジスタ（Ｘｓ）、パネルキャパシタ（Ｃｐ）、トランジスタ（Ｙｇ）及び接地端という電流経路が形成され、Ｘ電極にはＶｓ電圧が印加されてＹ電極には０Ｖ電圧が印加される。
【００８０】
モード２'（Ｍ２'）では、トランジスタ（Ｙｒ）が導通され、トランジスタ（Ｙｇ、Ｘｓ）が遮断される。そして、パネルキャパシタ（Ｃｐ）のＸ電極、ハーネス２４、トランジスタ（Ｙｒ）、ダイオード（Ｄｒ）、インダクタ（Ｌｙ）及びパネルキャパシタ（Ｃｐ）のＹ電極という電流経路が形成される。この電流経路によって、インダクタ（Ｌｙ）とパネルキャパシタ（Ｃｐ）との間に共振が生じ、Ｘ電極の電圧がＶｓ電圧から略０Ｖ電圧に減少してＹ電極の電圧が０Ｖ電圧から略Ｖｓ電圧に増加する。
【００８１】
次に、図１４及び図１５Ｂを参照すれば、モード３’（Ｍ３'）では、トランジスタ（Ｙｓ、Ｘｇ）が導通され、トランジスタ（Ｙｒ）が遮断される。そして、電源（Ｖｓ）、トランジスタ（Ｙｓ）、パネルキャパシタ（Ｃｐ）、トランジスタ（Ｘｇ）及び接地端という電流経路が形成され、Ｙ電極にはＶｓ電圧が印加されてＸ電極には０Ｖ電圧が印加される。
【００８２】
モード４'（Ｍ４'）では、トランジスタ（Ｙｆ）が導通され、トランジスタ（Ｙｓ、Ｘｇ）が遮断される。そして、パネルキャパシタ（Ｃｐ）のＹ電極、インダクタ（Ｌｙ）、ダイオード（Ｄｆ）、トランジスタ（Ｙｆ）、ハーネス２４及びパネルキャパシタ（Ｃｐ）のＸ電極という電流経路が形成される。この電流経路によって、インダクタ（Ｌｙ）とパネルキャパシタ（Ｃｐ）との間に共振が生じ、Ｙ電極の電圧がＶｓ電圧から略０Ｖ電圧に減少してＸ電極の電圧が０Ｖ電圧から略Ｖｓ電圧に増加する。
【００８３】
以上、本発明の実施形態について詳細に説明したが、本発明の権利範囲はこれに限定されるものではなく、特許請求の範囲で定義している本発明の基本概念を利用した当業者の多様な変形及び改良形態も本発明の権利範囲に属する。
【符号の説明】
【００８４】
１０  プラズマ表示パネル
２０  シャーシーベース
２２  可撓性印刷回路
２４  ハーネス
２４ａ、２４ｂ  グラウンド配線
２４ｃ、２４ｄ  メイン経路配線
２６  連結部材
３０  前面ケース
４０  後面ケース
１００  アドレスバッファーボード
２００、２００'  走査駆動ボード
２１０，４１０  維持放電部
２２０，２２０'、４２０  エネルギー回収部
３００  バッファーボード
４００、４００'  維持駆動ボード
５００  制御ボード
６００  電源ボード
【図１】
2010140004.tif 000013
【図２】
2010140004.tif 000014
【図３】
2010140004.tif 000015
【図４】
2010140004.tif 000016
【図５】
2010140004.tif 000017
【図６】
2010140004.tif 000018
【図７】
2010140004.tif 000019
【図８Ａ】
2010140004.tif 000020
【図８Ｂ】
2010140004.tif 000021
【図９】
2010140004.tif 000022
【図１０Ａ】
2010140004.tif 000023
【図１０Ｂ】
2010140004.tif 000024
【図１１】
2010140004.tif 000025
【図１２】
2010140004.tif 000026
【図１３Ａ】
2010140004.tif 000027
【図１３Ｂ】
2010140004.tif 000028
【図１４】
2010140004.tif 000029
【図１５Ａ】
2010140004.tif 000030
【図１５Ｂ】
2010140004.tif 000031